(57)【要約】【課題】  容器本体の口部に装着されるヒンジキャップにおいて、上蓋裏面に付着した液を効率よく容器本体内に回収するとともに、開蓋して内容液を注出する際に付着液がたれることを防ぎ、キャップ周辺を清潔に保つことができる液だれ防止キャップを提供すること。【解決手段】  容器本体の口部に装着されるキャップ本体と、ヒンジを介してキャップ本体と連設された上蓋とからなるヒンジキャップであって、上蓋の頂壁の裏面には、閉蓋時にキャップ本体の注出筒の内周に嵌合して注出口を密閉する密封筒が垂設され、密封筒の頂壁裏面と連設する密封筒基部の内周側は、ヒンジ側の所定範囲が隅肉のない垂直壁とされ、ヒンジの反対側の所定範囲がＲ状の隅肉が形成された湾曲壁とされていることを特徴とする。【選択図】  図１
2014198577.tif 000002
【特許請求の範囲】
【請求項１】
容器本体の口部に装着されるキャップ本体と、ヒンジを介してキャップ本体と連設された上蓋とからなるヒンジキャップであって、
上蓋の頂壁の裏面には、閉蓋時にキャップ本体の注出筒の内周に嵌合して注出口を密閉する密封筒が垂設され、
密封筒の頂壁裏面と連設する密封筒基部の内周側は、ヒンジ側の所定範囲が隅肉のない垂直壁とされ、ヒンジの反対側の所定範囲がＲ状の隅肉が形成された湾曲壁とされていることを特徴とする液だれ防止キャップ。
【請求項２】
密封筒内周の頂壁は、湾曲壁から続く裏面にヒンジ側に向けて傾斜面が形成され、湾曲壁側からヒンジ側に向かって薄肉になるように形成されていることを特徴とする請求項１記載の液だれ防止キャップ。
【請求項３】
湾曲壁から続く頂壁裏面に設けられた傾斜面は、平面視で開蓋状態の密封筒の中心と注出筒の中心を結ぶ共通中心線に沿って谷部が形成されるように傾斜勾配が形成されていることを特徴とする請求項２記載の液だれ防止キャップ。
【請求項４】
密封筒のヒンジ側内周面には、ヒンジ側を中央とする所定範囲にわたって、少なくとも一つの内周突条を設けたことを特徴とする請求項１〜３のいずれかに記載の液だれ防止キャップ。
【請求項５】
密封筒内周の頂壁のヒンジ側裏面には、平面視で開蓋状態の密封筒の中心と注出筒の中心を結ぶ共通中心線に略垂直方向の所定範囲に、ヒンジ側を中央とする少なくとも一つの裏面突条を設けたことを特徴とする請求項１〜４のいずれかに記載の液だれ防止キャップ。
【請求項６】
密封筒の下端部には、ヒンジ側を中央とする所定範囲にわたって、内側下方に突出する舌片が設けられていることを特徴とする請求項１〜５のいずれかに記載の液だれ防止キャップ。
【発明の詳細な説明】
【技術分野】
【０００１】
本発明は、容器の口部に装着されて注出口が開口されるキャップ本体に、ヒンジを介して連設された上蓋が注出口を開閉するヒンジキャップに関し、とくに、上蓋の開閉や内容液を注出する際に上蓋裏面に付着した液が周囲にたれないようにした液だれ防止キャップに関するものである。
【背景技術】
【０００２】
容器の口部に装着するキャップ本体と上蓋とをヒンジで連結したヒンジキャップは、上蓋を回動するだけで開閉することができ、上蓋を紛失することもないため、キャップとして広く使用されている。
しかしながら、油などの粘性のある内容液を収容した容器では、閉蓋状態で容器が倒れたり、容器が振られたりした場合に内容液が上蓋の頂壁裏面に付着し、上蓋を開閉する際や内容液を注出する際に、頂壁裏面に付着した液が流れ出して、キャップ周辺に液がたれて容器本体や周囲を汚してしまうという問題があった。
【０００３】
このような上蓋開閉時の液だれを防止するために、キャップ本体（１０）の注出筒部（１６）に嵌合する蓋体（１２）の封止筒部（２４）において、ヒンジ（１４）側に注出筒部（１６）内側に向かって延出する板状の舌片（２６）を設け、この舌片（２６）の外面が開蓋の途中で、注出筒部（１６）の上縁に当接・係止するように構成した注出キャップが従来より知られている（例えば、特許文献１参照）。  
【先行技術文献】
【特許文献】
【０００４】
【特許文献１】実用新案登録第２５４６１３７号公報
【発明の概要】
【発明が解決しようとする課題】
【０００５】
しかしながら、上記特許文献１記載の注出キャップでは、蓋体１２の裏面に付着した液は、蓋体１２を開閉する途中で舌片２６に案内されて容器内部に還流するが、完全に開蓋して内容液を注出するために容器を傾けたときには、舌片２６の先端は注出筒部１６内に位置せず、残っていた付着液が舌片２６や封止筒部２４の下端から流れ出して注出筒部１６の外側にたれて周辺を汚してしまうことがあった。
また、封止筒部２４内周下部の隅部に付着液が滞留しやすいため、当該隅部に滞留した付着液が、開蓋時や内容液注出時に封止筒部２４の下端からたれて周辺を汚すという問題があった。
【０００６】
本発明は、上記問題を解決することを課題とし、容器本体の口部に装着されるヒンジキャップにおいて、上蓋裏面の密封筒内側に付着した液を効率よく容器本体内に回収するとともに、開蓋して内容液を注出する際に付着液が流れて密封筒下端から液がたれることを防ぎ、キャップ周辺を清潔に保つことができる液だれ防止キャップを提供することを目的とする。
【課題を解決するための手段】
【０００７】
本発明は、上記の課題を解決するため、液だれ防止キャップとして、容器本体の口部に装着されるキャップ本体と、ヒンジを介してキャップ本体と連設された上蓋とからなるヒンジキャップであって、上蓋の頂壁の裏面には、閉蓋時にキャップ本体の注出筒の内周に嵌合して注出口を密閉する密封筒が垂設され、密封筒の頂壁裏面と連設する密封筒基部の内周側は、ヒンジ側の所定範囲が隅肉のない垂直壁とされ、ヒンジの反対側の所定範囲がＲ状の隅肉が形成された湾曲壁とされていることを特徴とする構成を採用する。
【０００８】
液だれ防止キャップの実施形態として、密封筒内周の頂壁は、湾曲壁から続く裏面にヒンジ側に向けて傾斜面が形成され、湾曲壁側からヒンジ側に向かって薄肉になるように形成されていることを特徴とする構成、さらに、湾曲壁から続く頂壁裏面に設けられた傾斜面は、平面視で開蓋状態の密封筒の中心と注出筒の中心を結ぶ共通中心線に沿って谷部が形成されるように傾斜勾配が形成されていることを特徴とする構成を採用する。
【０００９】
液だれ防止キャップの他の実施形態として、密封筒のヒンジ側内周面には、ヒンジ側を中央とする所定範囲にわたって、少なくとも一つの内周突条を設けたことを特徴とする構成、また、密封筒内周の頂壁のヒンジ側裏面には、平面視で開蓋状態の密封筒の中心と注出筒の中心を結ぶ共通中心線に略垂直方向の所定範囲に、ヒンジ側を中央とする少なくとも一つの裏面突条を設けたことを特徴とする構成、さらに、密封筒の下端部には、ヒンジ側を中央とする所定範囲にわたって、内側下方に突出する舌片が設けられていることを特徴とする構成を採用する。
【発明の効果】
【００１０】
本発明の液だれ防止キャップは、密封筒基部の内周側が、ヒンジ側の所定範囲で隅肉のない垂直壁とされ、ヒンジの反対側の所定範囲でＲ状の隅肉が形成された湾曲壁とされていることにより、ヒンジと反対側の上蓋裏面では、上蓋裏面に付着した液が閉蓋時に密封筒基部のＲ状の湾曲面によって速やかに容器内に還流し、隅部に滞留することがないから、上蓋が大きく回動する開閉時や容器が傾けられる注出時に液がたれることがない。
また、ヒンジ側の上蓋裏面では、密封筒基部の隅肉のない隅部に付着液が滞留しやすいが、上蓋の開度が小さい範囲では密封筒下端が注出筒内側に位置するとともに、回動半径が比較的小さいので開閉時に液が注出筒外にたれることがなく、他方、容器を傾ける注出時には、開蓋した上蓋がヒンジ側を下側にして立ち上がり、上蓋裏面に付着した液がヒンジ側の注出筒基部に流下してくるが、付着液は隅肉のない垂直壁の隅部に滞留して密封筒下端まで流下して液だれを起こすことを防止する。
【００１１】
さらに、湾曲壁から続く裏面にヒンジ側に向けて傾斜面を形成すれば、ヒンジと反対側での閉蓋時における付着液の回収を促すことができる。
また、ヒンジ側において、密封筒内周面に所定範囲にわたる内周突条を設けたり、密封筒内側の頂壁のヒンジ側裏面に所定範囲にわたる裏面突条を設けたりする構成や、密封筒の下端部に内側下方に突出する舌片を設ける構成など、ヒンジ側の上蓋裏面および密封筒に付着液の流下を防止する構造を付加すれば、内容液注出時の液だれをさらに防ぐことができ、キャップ周辺を清潔に保つことができる
【図面の簡単な説明】
【００１２】
【図１】液だれ防止キャップの実施例の閉蓋状態を示す断面側面図である。
【図２】液だれ防止キャップの実施例の開蓋状態を示す図であり、（ａ）は上面図、（ｂ）は図（ａ）におけるＸ−Ｘ断面図（断面側面図）である。
【図３】図２（ｂ）における要部拡大図である。
【図４】液だれ防止キャップの実施例の上蓋の断面図であり、（ａ）は図２（ａ）のＹ−Ｙ断面におけるＦ矢視図、（ｂ）は同Ｇ矢視図である。
【発明を実施するための形態】
【００１３】
次に、本発明の液だれ防止キャップについて、実施例を示した図面を参照して説明する。
【実施例】
【００１４】
図１、２において、Ａはキャップ本体、ＢはヒンジＣによってキャップ本体Ａに連設された上蓋である。
キャップ本体Ａは、環状の基壁１と、環状の基壁１の内周側に垂設された内筒２と、基壁１の外周縁から垂設された外筒３とにより、容器本体の口部に嵌合する嵌合溝４が形成されている。
【００１５】
外筒３の内周面には、容器本体の口部外周に設けられるくびれ部に係止する嵌合突条５が嵌合溝４に突出して設けられており、嵌合突条５は、通常よりも軸方向の幅が小さく比較的薄肉に形成されているので、周方向複数個所で軸方向下方に延びる補強支持部６が一体に設けられ、容器口部との嵌合強度を確保できるように補強されている。
【００１６】
基壁１の上部には、上蓋Ｂに係止して閉蓋状態を保つ環状の蓋係止部７が立設され、基壁１の内周縁には注出筒１０が立設されており、注出筒１０の下部は容器本体内を密封する隔壁１１に連設している。
隔壁１１には、破断可能な薄肉弱化部１２が設けられ、薄肉弱化部１２は、破断されたときに注出口を形成する除去部１３を画成している。
【００１７】
除去部１３のヒンジＣ側には、支柱１５を介してプルリング１６が連設され、プルリング１６のヒンジＣと反対側の内周面には滑り止め突条１７が設けられ、下部には指先への接圧をやわらかくするための緩衝部１８が形成されている。
本実施例では、緩衝部１８は、プルリング１６を指に掛けた際、外側（ヒンジと反対側）へ屈曲が容易な薄肉の板状をなしている。
【００１８】
図２（ａ）に示すように、注出筒１０の内周は、開蓋状態で注出筒１０の中心と後述する上蓋Ｂの密封筒３２の中心を結ぶ、平面視で注出筒１０と密封筒３２との共通する中心線Ｘ−Ｘ方向に長径の略長円形状をなし、該共通中心線Ｘ−Ｘに直交する方向（短径方向）の幅は、中心よりややヒンジＣの反対側でもっとも幅が広くなっている。
本実施例では、注出筒１０の中心と密封筒３２の中心とは、それぞれキャップ全体の中心と一致している。
注出筒１０の上端にはラッパ状の湾曲部１９が形成され、ヒンジＣ側よりヒンジＣの反対側がやや高くなって注出側流路面を形成している。
【００１９】
基壁１の上部に立設された蓋係止部７は略筒状をなし、上端部には、上蓋Ｂに係止する膨出部２１が、ヒンジＣの反対側の所定範囲にわたって外方に突出して設けられている。
また、蓋係止部７の上部内周側には、内側斜め上方に向かって延びるひさし２２が、所定円弧範囲にわたって設けられている。
本実施例では、これら膨出部２１およびひさし２２が設けられる円弧範囲は、それぞれキャップの中心における中心角が約２７０°、約１２０°であるが、これらの円弧範囲は適宜設定できる。
【００２０】
外筒３の外周上部には、所定範囲にわたってヒンジＣが連設され、ヒンジＣによって上蓋Ｂはキャップ本体Ａに回動可能に連設されている。
ヒンジＣの近傍位置の外周には、容器本体に装着する際の周方向の位置決めを行う位置合わせリブ２５が一個所突設されている。
【００２１】
図１〜４に示すように、上蓋Ｂは、頂壁３０と、頂壁３０の周縁に垂設された側周壁３１とからなり、頂壁３０の裏面には、キャップ本体Ａの注出筒６の内周に嵌入する密封筒３２が垂設されている。
頂壁３０の裏面と連設する密封筒３２の基部３３の内周側は、ヒンジＣ側の所定範囲で隅肉のない垂直壁３３ａとされ、ヒンジＣの反対側の所定範囲でＲ状の隅肉が形成された湾曲壁３３ｂとなっている。
【００２２】
図２（ａ）に示すように、本実施例では、密封筒３２の中心を通って、平面視で注出筒１０と密封筒３２に共通する中心線Ｘ−Ｘ方向に直交するＹ−Ｙ線を境界として、ヒンジ側を垂直壁３３ａとし、ヒンジと反対側を湾曲壁３３ｂとしているが、必ずしもこのようにする必要はなく、垂直壁３３ａはヒンジ側を中央とする密封筒３２の中心における中心角度が約９０°から１８０°程度、湾曲壁３３ｂはヒンジと反対側を中央とする密封筒３２の中心における中心角度約１２０°〜２１０°程度の範囲に形成されていればよい。
密封筒３２の下端３４は、ヒンジＣ側からヒンジＣの反対側に向けて、頂壁３０の裏面からの高さが高くなるように形成されている。
【００２３】
図３，４に示すように、密封筒３２の内周側の頂壁３０の裏面には、湾曲壁３３ｂのＲ状の湾曲面に続いて傾斜面３５が形成され、頂壁３０の肉厚が、湾曲壁３３ｂ側からヒンジＣ側に向かって薄肉になるように、すなわち、頂壁３０の裏面が、閉蓋時において湾曲壁３３ｂに向けて下り勾配となるように傾斜している。
本実施例では、傾斜面３５は、密封筒３２の中心から密封筒３２の湾曲壁３３ｂに向けて勾配が形成されているが、必ずしもこのようにする必要はなく、湾曲壁３３ｂが形成される範囲に応じて適宜変更可能であるが、平面視で注出筒１０と密封筒３２に共通する中心線Ｘ−Ｘに沿って谷部３６が形成されるように傾斜勾配が形成されることが望ましい。
【００２４】
また、密封筒３２の内側の頂壁３０裏面のヒンジＣ側には、平面視で注出筒１０と密封筒３２に共通する中心線Ｘ−Ｘに略垂直方向に、ヒンジＣを中央とする所定範囲にわたる裏面突条３８を設けている。
また、密封筒３２のヒンジ側Ｃの内周面には、ヒンジＣ側を中央とする所定範囲にわたって、内周突条３９が設けられている。
これらの裏面突条３８、内周突条３９は微小な突条であり、本実施例では約０．１ｍｍ程度である。また、本実施例では、各突条はそれぞれ２つ設けられているが、２つに限らず適宜の数を設けることができる。
【００２５】
さらに、密封筒３２の下端３４には、ヒンジＣ側を中央とする所定範囲にわたって、内側下方に突出する舌片４０が設けられている。
舌片４０を形成する範囲は、内周突条３９より大きい中心角度を有するように適宜決定されるが、本実施例では、密封筒３２の中心における中心角度が約１２０°程度の範囲である。
【００２６】
側周壁３１のヒンジＣと反対側の外周には、上蓋Ｂを開閉する際に手指をかける摘み部４２が突設されている。
図２（ａ）に示すように、摘み部４２は、下端に手指をかけるための指かけ突部４３を有する外枠４４と、外枠４４と側周壁３１との間に設けられた肉抜き部４５と、肉抜き部４５の複数個所に設けられ外枠４４と側周壁３１との間を連結する補強リブ４６とからなっている。
【００２７】
側周壁３１は、ヒンジＣ側の所定円弧範囲が厚肉に形成された厚肉部３１ａと、ヒンジＣと反対側の薄肉部３１ｂからなり、厚肉部３１ａと薄肉部３１ｂとの連設部には、内周側に縦方向の縦段部４８が形成されている。
また、側周壁３１の高さ方向の中間部には、下方に拡径する横段部４９が環状に形成されている。横段部４９は、その下面が少なくとも蓋係止部７より若干高い高さに設けられている。
側周壁３１の下部内周には、ヒンジＣ側と摘み部４２側との周方向中間部位に、蓋係止部７の膨出部２１に係止する係止突部５０が、それぞれ所定円弧範囲にわたって突設されている。
【００２８】
次に、本実施例の使用態様と作用効果について説明する。
本実施例の液だれ防止キャップは、図１に示す閉蓋状態で打栓され、嵌合溝４に容器本体の口部が嵌合装着される。
打栓工程で、外筒３内周の嵌合突条５が容器口部のくびれ部に嵌合し、容器口部が、内筒２の外周と外筒３の内周、および基壁１とによって挟持されキャップが装着される。
【００２９】
その際、容器本体に対するキャップ本体Ａの注出方向を位置決めする必要がある場合は、外筒３の外周に設けられた位置合わせリブ２５を容器本体の所定個所（図示せず）に一致させることによって位置決めを行う。
本実施例のキャップは全体として薄肉に形成されているが、嵌合突条５には補強支持部６が設けられているので、外筒３が薄肉であっても嵌合強度を保つことができる。
【００３０】
本実施例の液だれ防止キャップが装着された容器を初めて使用するには、図２に示すように上蓋Ｂを開き、プルリング１６を上方に引っ張って、支柱１５を介して隔壁１１の除去部１３を引き上げ、薄肉弱化部１２を切断して隔壁１１から除去部１３を切り離して注出口を開口する。
プルリング１６のヒンジＣと反対側の下部には、薄板状の緩衝部１８を設けているので、手指が当たると緩衝部１８が容易に屈曲して、手指への接圧をやわらげることができる。
【００３１】
容器を使用後に、上蓋Ｂを閉めると、上蓋Ｂの頂壁３０裏面に垂設された密封筒３２が注出筒１０の内周面に嵌入して容器内を密閉するとともに、側周壁３１の内周面に設けられた係止突部５０が、蓋係止部７の膨出部２１を乗り越えて膨出部２１の下部に係止して閉蓋状態を保持する。
上蓋Ｂを開閉する際、手指をかける摘み部４２は、肉抜き部４５により薄肉に形成されているが、補強リブ４６により十分な強度が確保されている。
【００３２】
開封された容器に収容されている内容液が、食用油などの粘性のある液体である場合には、使用後に閉蓋された容器が倒れたり容器が振られたりすると、内容液が密封筒３２の内側の頂壁３０裏面に付着する。
倒れた容器を正立状態に戻すと、密封筒３２の内側の頂壁３０裏面のヒンジＣと反対側では、付着した液は、傾斜面３５によって谷部３６に集められながら湾曲壁３３ｂに到達し、Ｒ状の湾曲面を伝って速やかに密封筒３２の下端３４に達し、注出筒１０の内周面を通って容器本体内に還流する。
【００３３】
他方、ヒンジＣ側では、密封筒３２の内周に付着した液は、時間とともに流下し容器本体内に還流するが、密封筒３２の内側の頂壁３０裏面に付着した液は、ある程度時間がたっても付着したまま残る場合がある。
容器を使用するために、この付着液が残った状態で上蓋Ｂを開けると、上蓋Ｂが回動して立ち上がるにつれ、頂壁３０裏面に付着した液はヒンジＣ側に流下するが、裏面突条３８と垂直壁３３ａの隅部に滞留して流下が阻止される。
【００３４】
開蓋した後、内容液を注出するために容器を傾けると、密封筒３２の内周面が立ち上がって、垂直壁３３ａの隅部に滞留した付着液を密封筒３２の下端３４に向けて流下させようとするが、垂直壁３３ａによって形成された隅部の液保持力が大きいため容易には流下しない。
さらに、付着液が垂直壁３３ａの隅部から密封筒３２内周に流下した場合でも、内周突条３９および舌片４０により流下してきた液を滞留して液だれを起こさない。
【００３５】
容器を使用した後、上蓋Ｂを閉蓋して容器を正立状態に置くと、時間とともに垂直壁３３ａの隅部に滞留した付着液や内周突条３９に滞留した付着液の多くは密封筒３２の内周に流れ出し、舌片４０に滞留していた付着液とともに、舌片４０の先端から容器内に回収される。
【００３６】
本実施例では、ヒンジＣと反対側の頂壁３０裏面に、付着液を効率的に回収するための傾斜面３５を設けたが、傾斜面３５は必ずしも必要ではない。
また、裏面突条３８，内周突条３９，舌片４０も必ずしも必要ではなく、垂直壁３３ａの隅部の液保持力が大きいため、適宜省略することができる。
本実施例では、外筒３の嵌合突条５を補強する補強支持部６や、摘み部４２の肉抜き部４５を補強する補強リブ４６設けるなどの工夫により、キャップ全体をより薄肉にすることができているとともに、上蓋ＢのヒンジＣと反対側が薄肉に形成されているので開閉が容易になっている。
【産業上の利用可能性】
【００３７】
本発明の液だれ防止キャップは、上蓋裏面に付着した液を効率よく容器内に回収するとともに、上蓋開閉時および注出時の液だれを確実に防ぐことができるから、粘性のある液を充填する容器のヒンジキャップとして広く利用することができる。
とくに、食用油や各種のたれ、つゆなどを収容する、衛生的で清潔な使用が要求される食品用容器のヒンジキャップに好適に利用できる。
【符号の説明】
【００３８】
Ａ        キャップ本体
Ｂ        上蓋
Ｃ        ヒンジ
１        基壁
２        内筒
３        外筒
４        嵌合溝
５        嵌合突条
６        補強支持部
７        蓋係止部
１０        注出筒
１１        隔壁
１２        薄肉弱化部
１３        除去部
１５        支柱
１６        プルリング
１７        滑り止め突条
１８        緩衝部
１９        湾曲部
２１        膨出部
２２        ひさし
２５        位置合わせリブ
３０        頂壁
３１        側周壁
３１ａ      厚肉部
３１ｂ      薄肉部
３２        密封筒
３３        密封筒基部
３３ａ      垂直壁
３３ｂ      湾曲壁
３４        密封筒下端
３５        傾斜面
３６        谷部
３８        裏面突条
３９        内周突条
４０        舌片
４２        摘み部
４３        指かけ突部
４４        外枠
４５        肉抜き部
４６        補強リブ
４８        縦段部
４９        横段部
５０        係止突部
【図１】
2014198577.tif 000003
【図２】
2014198577.tif 000004
【図３】
2014198577.tif 000005
【図４】
2014198577.tif 000006